(57)【要約】      （修正有）【課題】ピアツーピアシステムにおいて、任意のピアに対して情報を即時共有することを目的とする。【解決手段】アプリケーション実行部２０は、ローカル共有サービスを行うためのローカル共有サービス部２０Ａを含んで構成し、ローカル共有サービス部によって、予め設定されたピアに対してファイルまたはフォルダの即時共有を行う。アプリケーションメモリ２２には、予め設定されたローカル共有ファイルまたはローカル共有フォルダと、ローカル共有ファイルまたはローカル共有フォルダに対応して予め設定されたローカル共有サービスを行うための情報とを含むローカル共有情報２２Ａを記憶する。ローカル共有情報としては、特定のピアに関するピア情報や、特定のピアまでの経路情報等を含み、ピア情報や経路情報はＰ２Ｐ基盤管理データ管理部２６から取得する。【選択図】        図１２
2006184954.tif 000002
【特許請求の範囲】
【請求項１】
複数の装置が接続され、各装置毎に保持された情報を互いに共有可能なピアツーピアシステムに接続可能な情報処理装置であって、
前記ピアツーピアシステムに接続された装置を前記ピアツーピアシステム上で特定するための特定情報及び前記ピアツーピアシステムに接続された装置への経路情報を含む共有情報を取得する取得手段と、
前記ピアツーピアシステムに接続された装置のうち、情報を共有する装置を指示すると共に共有すべき情報の共有先の装置への送信を指示するための指示手段と、
前記取得手段によって取得された前記共有情報のうち、前記指示手段によって指示された装置に関する前記共有情報を共有すべき情報に対応して記憶する記憶手段と、
前記指示手段によって装置が指示され、共有すべき情報の送信の指示がなされた時に、前記記憶手段に記憶された前記共有情報に基づいて、共有すべき情報を送信する送信手段と、
を備えることを特徴とする情報処理装置。
【請求項２】
前記記憶手段は、共有すべき情報が送信された時に、前記共有情報を送信履歴として更に記憶することを特徴とする請求項１に記載の情報処理装置。
【請求項３】
前記指示手段は、情報を共有する装置を指示すると共に共有すべき情報の共有先への送信を指示するための画像を表示する表示手段を含むことを特徴とする請求項１又は請求項２に記載の情報処理装置。
【請求項４】
複数の装置が接続され、各装置毎に保持された情報を互いに共有可能なピアツーピアシステムに接続可能な情報処理装置における情報処理方法であって、
前記ピアツーピアシステムに接続された装置を前記ピアツーピアシステム上で特定するための特定情報及び前記ピアツーピアシステムに接続された装置への経路情報を含む共有情報を取得する取得手段と、
前記ピアツーピアシステムに接続された装置のうち、情報を共有する装置を指示すると共に共有すべき情報の共有先の装置への送信を指示する指示手段と、
前記取得ステップで取得した前記共有情報のうち、前記指示ステップで指示した装置に関する前記共有情報を共有すべき情報に対応して記憶する記憶ステップと、
前記指示ステップで共有する装置を指示し、共有すべき情報の送信の指示を行った時に、前記記憶ステップで記憶した前記共有情報に基づいて、共有すべき情報を送信する送信ステップと、
を含むことを特徴とする情報処理方法。
【請求項５】
前記記憶ステップは、共有すべき情報が送信された時に、前記共有情報を送信履歴として更に記憶することを特徴とする請求項４に記載の情報処理方法。
【請求項６】
前記指示ステップは、情報を共有する装置を指示すると共に共有すべき情報の共有先への送信を指示するための画像を表示する表示ステップを含むことを特徴とする請求項４又は請求項５に記載の情報処理方法。
【請求項７】
複数の装置が接続され、各装置毎に保持された情報を互いに共有可能なピアツーピアシステムに接続可能なコンピュータに以下の情報処理を実行させる情報処理プログラムであって、
前記処理は、
前記ピアツーピアシステムに接続された装置を前記ピアツーピアシステム上で特定するための特定情報及び前記ピアツーピアシステムに接続された装置への経路情報を含む共有情報を取得する取得手段と、
前記ピアツーピアシステムに接続された装置のうち、情報を共有する装置を指示すると共に共有すべき情報の共有先の装置への送信を指示する指示手段と、
前記取得ステップで取得した前記共有情報のうち、前記指示ステップで指示した装置に関する前記共有情報を共有すべき情報に対応して記憶する記憶ステップと、
前記指示ステップで共有する装置を指示し、共有すべき情報の送信の指示を行った時に、前記記憶ステップで記憶した前記共有情報に基づいて、共有すべき情報を送信する送信ステップと、
を含むことを特徴とする情報処理プログラム。
【請求項８】
前記記憶ステップは、共有すべき情報が送信された時に、前記共有情報を送信履歴として更に記憶することを特徴とする請求項７に記載の情報処理プログラム。
【請求項９】
前記指示ステップは、情報を共有する装置を指示すると共に共有すべき情報の共有先への送信を指示するための画像を表示する表示ステップを含むことを特徴とする請求項７又は請求項８に記載の情報処理プログラム。
【請求項１０】
複数のピアが接続されて構成されたピアツーピアシステムであって、
請求項１乃至請求項３の何れか１項に記載の情報処理装置をピアとして含むことを特徴とするピアツーピアシステム。
【発明の詳細な説明】
【技術分野】
【０００１】
本発明は、情報処理装置、情報処理方法、情報処理プログラム、及びピアツーピアシステムにかかり、特に、ネットワークを介し互いに接続された複数の装置の少なくとも一部が、専用のサーバを介することなく直接通信するピアツーピアシステムに接続可能な情報処理装置、当該情報処理装置で適用可能な情報処理方法、情報処理プログラム、及び当該ピアツーピアシステムに関する。
【背景技術】
【０００２】
従来より、コンピュータ等の装置をネットワークを介して互いに接続するネットワークシステムの形態として、クライアント・サーバシステムと、ピアツーピア（以下、Ｐ２Ｐという）システムとがある。
【０００３】
クライアント・サーバシステムは、サーバが各種情報資源を管理したり各種アプリケーションを提供するサービスを実行し、これをクライアントが利用するシステムであり、主従関係が固定的なシステムある。
【０００４】
ネットワークで接続された複数のコンピュータのユーザが、相互の情報を共有して活用するためには、これらの情報を共通してアクセス可能なデータベース或いはファイルをまとめて蓄積して管理するためのサーバを核にして、目的とするアプリケーション・システムを構築して運用する方法が広く使われている。
【０００５】
この方法では、共有したい情報を一括して管理する必要があったり、情報共有のための特別なサーバが必要であったり、その共有システムを構築するため多大なコストが必要である。
【０００６】
この問題を解決するために、近年では、Ｐ２Ｐシステム型の情報を集中管理しないタイプの情報共有システムが登場し、構築コストの低い情報共有システムが一般的に認知されるようになってきている。
【０００７】
Ｐ２Ｐシステムでは、基本的には専用のサーバを設けず、ネットワークに接続されたピア（例えばパーソナルコンピュータ等）の各々が、あるときは他のピアに対して所定のサービスを提供してサーバのように動作し、あるときは他のピアが提供するサービスを利用してクライアントのように動作するシステムであり、各ピアが対等なシステムである。このようなＰ２Ｐシステムに関して、従来より様々な技術が提案されている（例えば特許文献１及び特許文献２参照）。
【特許文献１】特開２００２−３３５２６９号公報
【特許文献２】特開２００３−２５６３６３号公報
【発明の開示】
【発明が解決しようとする課題】
【０００８】
しかしながら、多くのＰ２Ｐシステムでは、ファイルの共有処理が自動で行われるか、自分以外のピアに対してファイルの検索を行うかの何れかしかなく、特定のピアに対してのファイルの即時共有を行うことができなかった。
【０００９】
本発明は、上記問題を解決すべく成されたもので、ピアツーピアシステムにおいて、任意のピアに対して情報を即時共有することを目的とする。
【課題を解決するための手段】
【００１０】
上記目的を達成するために請求項１に記載の情報処理装置は、複数の装置が接続され、各装置毎に保持された情報を互いに共有可能なピアツーピアシステムに接続可能な情報処理装置であって、前記ピアツーピアシステムに接続された装置を前記ピアツーピアシステム上で特定するための特定情報及び前記ピアツーピアシステムに接続された装置への経路情報を含む共有情報を取得する取得手段と、前記ピアツーピアシステムに接続された装置のうち、情報を共有する装置を指示すると共に共有すべき情報の共有先の装置への送信を指示するための指示手段と、前記取得手段によって取得された前記共有情報のうち、前記指示手段によって指示された装置に関する前記共有情報を共有すべき情報に対応して記憶する記憶手段と、前記指示手段によって装置が指示され、共有すべき情報の送信の指示がなされた時に、前記記憶手段に記憶された前記共有情報に基づいて、共有すべき情報を送信する送信手段と、を備えることを特徴としている。
【００１１】
請求項１に記載の発明によれば、取得手段では、ピアツーピアシステムに接続された装置をピアツーピアシステム上で特定するための特定情報及びピアツーピアシステムに接続された装置への経路情報を含む共有情報が取得される。例えば、ピアツーピアシステムに参加しているピア（装置）は、システム上でピアツーピアシステムに参加している各ピアを特定するための特定情報を探索して保持しているので、これを取得する。また、同様に、ピアツーピアシステムでは各ピアへの経路情報を保持、または他のピアから取得可能とされているのでこれを取得する。
【００１２】
指示手段では、ピアツーピアシステムに接続された装置のうち、情報を共有する装置を指示すると共に共有すべき情報の共有先の装置への送信を指示することができる。
【００１３】
また、記憶手段には、取得手段によって取得された共有情報のうち、指示手段によって指示された装置に関する共有情報が共有すべき情報に対応して記憶され、送信手段では、指示手段によって情報を共有する装置が指示されて共有すべき情報の送信の指示がなされた時に、記憶手段に記憶された共有情報に基づいて、共有すべき情報が送信される。すなわち、記憶手段に記憶された共有情報に含まれる経路情報と特定情報を用いてピアツーピアシステム上で送信先の装置に共有すべき情報が送信される。
【００１４】
従って、このように指示手段によってピアツーピアシステム上の情報を共有する任意の装置（ピア）を指示して、取得手段で取得して記憶手段に記憶した共有情報を用いて、共有すべき情報を送信することで、ピアツーピアシステムにおいて、任意のピアに対して情報を即時共有することができる。
【００１５】
なお、記憶手段は、請求項２に記載の発明のように、共有すべき情報が送信された時に、共有情報を送信履歴として更に記憶するようにしてもよい。このように、送信手段による送信が完了いた時などに、特定情報及び経路情報を含む共有情報を送信履歴として更に記憶しておくことで、記憶手段に記憶された送信履歴をポータブルデバイス等の記録媒体等に取り出して持ち運ぶことで、ピアツーピアシステムに接続された他の装置から、当該送信履歴を用いて、送信手段によって送信した共有先の装置から共有すべき情報の取り出しが可能となる。
【００１６】
また、指示手段は、請求項３に記載の発明のように、情報を共有する装置を指示すると共に共有すべき情報の共有先への送信を指示するための画像を表示する表示手段を含むようにしてもよい。このように指示手段に表示手段を含むことによって、情報を共有する装置の指示、及び共有先の装置への送信の指示を行うための画像が表示されるので、指示手段による指示を明示的に行うことが可能となる。
【００１７】
請求項４に記載の情報処理方法は、複数の装置が接続され、各装置毎に保持された情報を互いに共有可能なピアツーピアシステムに接続可能な情報処理装置における情報処理方法であって、前記ピアツーピアシステムに接続された装置を前記ピアツーピアシステム上で特定するための特定情報及び前記ピアツーピアシステムに接続された装置への経路情報を含む共有情報を取得する取得手段と、前記ピアツーピアシステムに接続された装置のうち、情報を共有する装置を指示すると共に共有すべき情報の共有先の装置への送信を指示する指示手段と、前記取得ステップで取得した前記共有情報のうち、前記指示ステップで指示した装置に関する前記共有情報を共有すべき情報に対応して記憶する記憶ステップと、前記指示ステップで共有する装置を指示し、共有すべき情報の送信の指示を行った時に、前記記憶ステップで記憶した前記共有情報に基づいて、共有すべき情報を送信する送信ステップと、を含むことを特徴としている。
【００１８】
請求項４に記載の発明によれば、取得ステップでは、ピアツーピアシステムに接続された装置をピアツーピアシステム上で特定するための特定情報及びピアツーピアシステムに接続された装置への経路情報を含む共有情報を取得する。例えば、ピアツーピアシステムに参加しているピア（装置）は、システム上でピアツーピアシステムに参加している各ピアを特定するための特定情報を探索して保持しているので、これを取得する。また、同様に、ピアツーピアシステムでは各ピアへの経路情報を保持、または他のピアから取得可能とされているのでこれを取得する。
【００１９】
指示ステップでは、ピアツーピアシステムに接続された装置のうち、情報を共有する装置を指示すると共に、共有すべき情報の共有先の装置への送信を指示する。
【００２０】
また、記憶ステップでは、取得ステップで取得した共有情報のうち、指示ステップで指示した装置に関する共有情報を共有すべき情報に対応して記憶し、送信ステップでは、指示ステップで情報を共有する装置を指示して共有すべき情報の送信の指示を行った時に、記憶ステップで記憶した共有情報に基づいて、共有すべき情報を送信する。すなわち、記憶ステップで記憶した共有情報に含まれる経路情報と特定情報を用いてピアツーピアシステム上で送信先の装置に共有すべき情報が送信される。
【００２１】
従って、このように指示ステップでピアツーピアシステム上の情報を共有する任意の装置（ピア）を指示して、取得ステップで取得して記憶ステップで記憶した共有情報を用いて、共有すべき情報を送信することで、ピアツーピアシステムにおいて、任意のピアに対して情報を即時共有することができる。
【００２２】
なお、記憶ステップは、請求項５に記載の発明のように、共有すべき情報が送信された時に、共有情報を送信履歴として更に記憶するようにしてもよい。このように、送信ステップでの送信が完了いた時などに、特定情報及び経路情報を含む共有情報を送信履歴として更に記憶しておくことで、記憶ステップで記憶した送信履歴をポータブルデバイス等の記録媒体等に取り出して持ち運ぶことで、ピアツーピアシステムに接続された他の装置から、当該送信履歴を用いて、送信ステップで送信した共有先の装置から共有すべき情報の取り出しが可能となる。
【００２３】
また、指示ステップは、請求項６に記載の発明のように、情報を共有する装置を指示すると共に共有すべき情報の共有先への送信を指示するための画像を表示する表示ステップを含むようにしてもよい。このように指示ステップに表示ステップを含むことによって、情報を共有する装置の指示、及び共有先の装置への送信の指示を行うための画像が表示されるので、指示ステップでの指示を明示的に行うことが可能となる。
【００２４】
請求項７に記載の情報処理プログラムは、複数の装置が接続され、各装置毎に保持された情報を互いに共有可能なピアツーピアシステムに接続可能なコンピュータに以下の情報処理を実行させる情報処理プログラムであって、前記処理は、前記ピアツーピアシステムに接続された装置を前記ピアツーピアシステム上で特定するための特定情報及び前記ピアツーピアシステムに接続された装置への経路情報を含む共有情報を取得する取得手段と、前記ピアツーピアシステムに接続された装置のうち、情報を共有する装置を指示すると共に共有すべき情報の共有先の装置への送信を指示する指示手段と、前記取得ステップで取得した前記共有情報のうち、前記指示ステップで指示した装置に関する前記共有情報を共有すべき情報に対応して記憶する記憶ステップと、前記指示ステップで共有する装置を指示し、共有すべき情報の送信の指示を行った時に、前記記憶ステップで記憶した前記共有情報に基づいて、共有すべき情報を送信する送信ステップと、を含むことを特徴としている。
【００２５】
請求項７に記載の発明によれば、請求項４に記載の情報処理方法を情報処理プログラムとして適用したものである。すなわち、指示ステップでピアツーピアシステム上の情報を共有する任意の装置（ピア）を指示して、取得ステップで取得して記憶ステップで記憶した共有情報を用いて、共有すべき情報を送信することで、ピアツーピアシステムにおいて、任意のピアに対して情報を即時共有することができる。
【００２６】
なお、記憶ステップは、請求項８に記載の発明のように、共有すべき情報が送信された時に、共有情報を送信履歴として更に記憶するようにしてもよい。このように、送信ステップでの送信が完了いた時などに、特定情報及び経路情報を含む共有情報を送信履歴として更に記憶しておくことで、記憶ステップで記憶した送信履歴をポータブルデバイス等の記録媒体等に取り出して持ち運ぶことで、ピアツーピアシステムに接続された他の装置から、当該送信履歴を用いて、送信ステップで送信した共有先の装置から共有すべき情報の取り出しが可能となる。
【００２７】
また、指示ステップは、請求項９に記載の発明のように、情報を共有する装置を指示すると共に共有すべき情報の共有先への送信を指示するための画像を表示する表示ステップを含むようにしてもよい。このように指示ステップに表示ステップを含むことによって、情報を共有する装置の指示、及び共有先の装置への送信の指示を行うための画像が表示されるので、指示ステップでの指示を明示的に行うことが可能となる。
【００２８】
請求項１０に記載のピアツーピアシステムは、複数のピアが接続されて構成されたピアツーピアシステムであって、請求項１乃至請求項３の何れか１項に記載の情報処理装置をピアとして含むことを特徴としている。
【００２９】
請求項１０に記載の発明によれば、複数のピアが接続されて構成されたピアツーピアシステムに、請求項１乃至請求項３の何れか１項に記載の情報処理装置をピアとして含んでいるので、上述したように、指示手段によってピアツーピアシステム上の情報を共有する任意の装置（ピア）を指示して、取得手段で取得して記憶手段に記憶した共有情報を用いて、共有すべき情報を送信することで、ピアツーピアシステムにおいて、任意のピアに対して情報を即時共有することができる。
【発明の効果】
【００３０】
以上説明したように本発明によれば、指示手段によってピアツーピアシステム上の情報を共有する任意の装置を指示して、取得手段で取得して記憶手段に記憶した共有情報を用いて、共有すべき情報を送信することで、ピアツーピアシステムにおいて、任意のピアに対して情報を即時共有することができる、という効果がある。
【発明を実施するための最良の形態】
【００３１】
以下、図面を参照して本発明の実施の形態の一例を詳細に説明する。
【００３２】
図１には、Ｐ２Ｐネットワーク１０のネットワーク構成について概念的に示した。図１に示すように、Ｐ２Ｐネットワーク１０は、仮想的には各ピア１２Ａ〜１２Ｇが相互に接続された構成であり、実際には、例えばピア１２Ａ〜１２Ｃはファイアウォール１４によるアクセス制限下にあるピアであったり、ピア１２Ｃ〜１２Ｅはインターネットに接続されたピアであったり、ピア１２Ｅ〜１２ＧはＮＡＴ（Network Address Translation）によってアドレス変換されるピアであったりする。
【００３３】
また、各ピア同士の接続方法は様々であり、ＩＰｖ４（Internet Protocol version 4）やＩＰｖ６（Internet Protocol version 6）の機能を用いるＴＣＰ（Transmission Control Protocol）接続を用いたり、ＨＴＴＰ（HyperText Transfer Protocol）を用いたり、ＳＭＴＰ（Simple Mail Transfer Protocol）を用いたりすることができる。
【００３４】
ここで、ピアとは、例えばパーソナルコンピュータ等のコンピュータの他、ＰＤＡ（Personal Digital Assistance）、携帯電話、プリンタ、コピー機、これらの機能を複数備えた複合機等のハードウェア又はこれらの機能を実現するソフトウェアをいう。また、各ピアは、同じ種類のものであるか異なる種類のものであるかにかかわらずＰ２Ｐネットワークに参加することができる。
【００３５】
Ｐ２Ｐネットワークの形態としては、図２に示すように、各ピア１４Ａ〜１４Ｋの全てが対等な関係にあるピュアＰ２Ｐと、図３に示すように、サーバ１４Ｓを設け、一部のサービスの提供をサーバ１４Ｓに委ね、その他のサービスについては各ピア１４Ａ〜１４Ｈが対等な関係において実現されるハイブリッドＰ２Ｐの形態があり、何れの形態でも本発明を適用可能である。
【００３６】
また、Ｐ２Ｐネットワークに参加する各ピアにログオンするユーザ又はピアは、図４に示すように、目的に応じたグループを構成することができる。図４では、ピア１２Ａ〜１２Ｇ全てがグループ１に属し、さらに、ピア１２Ａ、１２Ｃ、１２Ｅ、１２Ｆはグループ２に属しており、ピア１２Ｂ、１２Ｅ、１２Ｆ、１２Ｇはグループ３に属している。なお、各ユーザ又はピアは、単一のグループに属してもよいし、複数のグループに属していてもよい。また、ユーザ又はピアは必ずしもグループに属する必要はない。
【００３７】
図５には、Ｐ２Ｐネットワーク１０に参加する各ピアの基本構成を示した。図５に示すように、ピア１２は、Ｐ２Ｐ基盤構成部１６、Ｐ２Ｐ基盤管理データ記憶部１８、アプリケーション実行部２０、及びアプリケーションメモリ２２を含んで構成される。
【００３８】
Ｐ２Ｐ基盤構成部１６は、メッセージ制御部２４、データ管理部２６、送信部２８、及び受信部３０を含んで構成される。
【００３９】
送信部２８は、メッセージ制御部２４から受け取ったメッセージをネットワーク３２へ向けて送信する。
【００４０】
受信部３０は、Ｐ２Ｐネットワーク１０内で送受信されるデータのうち、自ピアにとって必要なデータを受信する。常に受信待機状態となっており、Ｐ２Ｐネットワーク１０の他ピアからの各種要求やデータを受信し、メッセージ制御部２４に受け渡す。なお、送信部２８とは独立かつ並列に動作する。
【００４１】
図６には、メッセージ制御部２４の概略構成を示した。メッセージ制御部２４は、図６に示すように、サービス実行部３４及びメッセージディスパッチ部３６を含んで構成されている。
【００４２】
サービス実行部３４は、ピア探索サービス部３８、告知情報公開サービス部４０、告知情報取得サービス部４２、グループ管理サービス部４４、ユーザ管理サービス部４６、及びピア管理サービス部４８を含んで構成されており、各サービス部は相互に情報を授受しながら各サービスを実行する。
【００４３】
ピア探索サービス部３８は、Ｐ２Ｐネットワークに参加しているピアを探索する機能及び自ピアが必要とするサービス（機能）を提供可能なピアを探索する機能を有する。なお、探索の範囲は、必要とするサービスの名称や属性、ホップ数の閾値等を指定することにより制御することができる。ここで、ホップ数とは、メッセージを送信する際に経由するピアの数である。
【００４４】
告知情報公開サービス部４０は、自ピアが提供可能なサービス等の情報を告知情報としてＰ２Ｐネットワーク上に公開する機能を有する。ここで、提供可能なサービスには、例えばアプリケーション実行部２０により実行されるアプリケーションの他、後述するグループ管理サービスやユーザ管理サービス等も含まれる。なお、告知情報の公開は、例えば他ピアから問い合わせがあった場合や自ピアの起動時に実行してもよいし、定期的に実行するようにしてもよい。
【００４５】
このように各ピアの告知情報公開サービス部４０によって告知情報がＰ２Ｐネットワーク上に公開されることにより、Ｐ２Ｐネットワークに参加している各ピアは、Ｐ２Ｐネットワーク上でどのようなサービスを利用できるかを把握することができる。
【００４６】
告知情報取得サービス部４２は、ピア探索サービス部３８によって探索されたピアから送信された告知情報又は他ピアから自発的に送信された告知情報を取得し、データ管理部２６へ受け渡す。データ管理部２６では、取得した告知情報をピア情報としてＰ２Ｐ基盤管理データ記憶部１８に記憶させる。これにより、ピアは、Ｐ２Ｐネットワークに参加している他ピアがどのようなサービスを提供しているのかを把握することができる。
【００４７】
グループ管理サービス部４４は、同じ目的を有するピア同士で構成されたグループへの参加や脱退、新たなグループの作成等をグループ情報に基づいて管理する機能を有する。グループ情報は、例えば少なくともグループＩＤとユーザＩＤとの対応関係を表す情報であり、Ｐ２Ｐ基盤管理データ記憶部１８に記憶される。このグループ情報を参照することにより、どのグループにどのユーザが属しているかを把握することができる。
【００４８】
ユーザ管理サービス部４６は、ユーザ情報を管理する機能を有する。ユーザ情報は、例えばピアＩＤとそのピアにログオンしているユーザＩＤとの対応関係を表すログオン情報や、ユーザの名前、ＩＰ（Internet Protocol）アドレス、メールアドレス等のユーザ自身に関する情報、そのユーザが属するグループのグループＩＤ等の情報を含み、Ｐ２Ｐ基盤管理データ記憶部１８に記憶される。
【００４９】
ピア管理サービス部４８は、Ｐ２Ｐネットワークに参加しているピアのピア情報を管理する機能を有する。
【００５０】
メッセージディスパッチ部３６は、アプリケーション実行部２０からのメッセージや他ピアとの間で送受信されるメッセージを解析し、サービス実行部３４のうち解析したメッセージに関する処理を行うべきサービス部へ制御を渡す。
【００５１】
Ｐ２Ｐ基盤管理データ記憶部１８は、経路情報１８Ａ、グループ情報１８Ｂ、隣接情報１８Ｃ、ピア情報１８Ｄ、及びユーザ情報１８Ｅを記憶する。
【００５２】
経路情報１８Ａは、Ｐ２Ｐネットワークにおける経路の情報、例えば後述するスパニングツリーに関する情報を含む。
【００５３】
グループ情報１８Ｂは、前述したように例えば少なくともグループＩＤとユーザＩＤとの対応関係を表す情報である。
【００５４】
隣接情報１８Ｃは、自ピアに隣接するピアに関する情報、例えばピアＩＤ等の情報を含む。ここで、隣接するピアとは、例えば自ピアから送信したパケットに対する応答時間が予め定めた所定時間内のピアとすることができる。隣接情報は、例えば他ピアと通信する課程において得られる応答時間に基づいて生成することができるが、オペレータの操作等により手動的に設定するようにしてもよい。
【００５５】
ピア情報１８Ｄは、ピア探索サービス部３８によって探索されたピアに関する情報、例えばピアＩＤ等の情報や、告知情報取得サービス部４２によって取得したＰ２Ｐネットワーク上の各ピアが提供しているサービスに関する情報等を含む。ここで、ピアＩＤには、例えばＩＰアドレスやＵＲＩ（Uniform Resource Identifier）等を用いることができる。
【００５６】
ユーザ情報１８Ｅは、前述したようにユーザのログオン情報やユーザ自身に関する情報等を含む。
【００５７】
アプリケーション実行部２０は、各種アプリケーションを実行するものであり、メッセージ制御部２４を介して他ピアとメッセージの送受信を行う。また、アプリケーションメモリ２２は、アプリケーション実行部２０の実行に関連する各種の情報を記憶するためのメモリである。
【００５８】
次に、Ｐ２Ｐネットワークにおいて、目的のサービスを検索し実行する場合の具体例について説明する。
【００５９】
まず、他ピアへメッセージを転送する機能を有する転送機能付きピアと、転送機能を備えず、転送機能付きピアを介して他ピアとメッセージの送受信を行うエンドピアと、からなるＰ２Ｐネットワークにおいて、転送機能付きピア及びエンドピアのＰ２Ｐ基盤構成部１６で実行される処理について説明する。なお、転送機能付きピアは、図示しない転送機能サービス部をサービス実行部３４に備えた構成である。
【００６０】
図７にはエンドピアで実行される処理のフローチャートを、図８には転送機能付きピアで実行される処理のフローチャートを示した。
【００６１】
図７に示すように、エンドピアは、ステップ１００において、転送機能付きピアの探索要求を、例えば自ピアに予め記憶された設定情報に設定された他の転送機能付きピアに対して、又はマルチキャストやブロードキャストにより他の転送機能付きピアに対してＰ２Ｐネットワークに送信する。これは、ピア探索サービス部３８により実行される。
【００６２】
そして、ステップ１０２において、転送機能付きピアが存在するか否かを判断し、転送付きピアが存在する場合には、ステップ１０４へ移行し、転送機能付きピアが存在しない場合には、ステップ１０２へ戻り、例えば所定時間経過後に再度転送機能付きピアを探索する。
【００６３】
ステップ１０４では、自ピアにログオンしているユーザ又は自ピアが属するグループに属している他ユーザがログオンしている他ピアの告知情報を取得するよう転送機能付きピアに要求する。これは、告知情報取得サービス部４２により実行される。
【００６４】
ステップ１０６では、転送機能付きピアから告知情報を受信したか否かを判断し、受信していない場合には、ステップ１１０へ移行し、受信した場合には、ステップ１０８において、受信した告知情報をＰ２Ｐ基盤管理データ記憶部１８にピア情報１８Ｄとして記憶させる。
【００６５】
ステップ１１０では、サービス要求が発生したか否かを判断する。例えば自ピアにログオンしているユーザの操作等によってアプリケーション実行部２０によりアプリケーションが実行され、サービス要求が発生した場合には、アプリケーション実行部２０からメッセージ制御部２４へサービス要求が通知される。この場合、ステップ１１２へ移行し、サービス要求が発生していない場合には、ステップ１１６へ移行する。
【００６６】
ステップ１１２では、発生したサービス要求に対応したメッセージを作成して転送機能付きピアに送信する。例えば、アプリケーション実行部２０からのサービス要求が、所望のファイルを取得する要求だった場合には、アプリケーション実行部２０から通知されたファイル名等の所望のファイルを特定するための情報を含むファイル探索要求メッセージを転送機能付きピアに送信する。
【００６７】
ステップ１１４では、送信したメッセージに対する応答処理を行う。すなわち、送信したメッセージに対する応答メッセージを受信し、受信した応答メッセージの内容に応じた処理を行う。例えば、サービス要求が所定のファイルを取得する要求であった場合には、そのファイルを所有しているピアがあれば、そのピア情報が応答メッセージとして受信されるので、これをアプリケーション実行部２０に通知する。この場合、アプリケーション実行部２０では、受信したピア情報に基づいて、所望のファイルを所有しているピアにファイル送信要求を送信するようメッセージ制御部２４に依頼する。これにより、所望のファイルを取得することができる。
【００６８】
そして、ステップ１１６では、転送機能付きピアから、他ピアから何らかのサービス提供又は情報提供を要求する要求メッセージを受信したか否かを判断し、要求メッセージを受信していた場合には、ステップ１１８へ移行し、要求メッセージを受信していない場合には、ステップ１０６へ戻って上記と同様の処理を繰り返す。
【００６９】
ステップ１１８では、要求に対する処理を実行する。そして、ステップ１２０において、処理結果に対応したメッセージを転送機能付きピアに送信する。例えば、他ピアからファイル探索の要求メッセージを受信した場合には、その要求メッセージをファイル検索を実行するアプリケーション実行部２０へ渡す。これによりアプリケーション実行部２０においてファイル検索が実行され、検索結果がメッセージ制御部２４に通知される。メッセージ制御部２４では、アプリケーション実行部２０から通知された検索結果に基づいて応答メッセージを作成し、ファイル探索要求メッセージの送信元のピアに送信する。例えばファイルが検索できた場合には、自ピアのピアＩＤ等の情報を含めた応答メッセージを作成して、ファイル探索要求メッセージの送信元のピアに送信する。これにより、送信元のピアでは、所望のファイルが検索できたか否かを確認することができる。
【００７０】
次に、転送機能付きピアで実行される処理について説明する。
【００７１】
転送機能付きピアは、まず図８に示すステップ２００において、例えば自ピアに予め記憶された設定情報に設定された他の転送機能付きピアに対して、又はマルチキャストやブロードキャストにより他の転送機能付きピアに対して、グループ情報やユーザ情報等の各種情報を送信するよう要求し、これらの情報を取得する。取得した情報は、Ｐ２Ｐ基盤管理データ記憶部１８に記憶される。これにより、Ｐ２Ｐネットワークを構成しているピアの情報やログオンしているユーザの情報を得ることができる。
【００７２】
ステップ２０２では、Ｐ２Ｐ基盤管理データ記憶部１８に記憶された隣接情報１８Ｃを、自ピアの隣の転送機能付きピア全てに告知する。隣接情報１８Ｃには、自ピアの隣の転送機能付きピアの情報が少なくとも含まれ、さらに、他のピアが有している隣接情報を既に取得している場合には、その隣接情報も含まれる。
【００７３】
ステップ２０４では、隣の転送機能付きピアに隣接情報を送信するよう要求し、取得する。このように、自ピアの隣の転送機能付きピアと隣接情報を交換する。
【００７４】
そして、ステップ２０６では、交換した隣接情報に基づき、スパニングツリーの構成情報を生成し、Ｐ２Ｐ基盤管理データ記憶部１８に経路情報として記憶する。ここで、スパニングツリーとは、メッセージの転送経路が、ループのない木構造となるような経路を表す。例えばＰ２Ｐネットワークが、図９（Ａ）に示すように、グループ１にのみ属する転送機能付きピア５０1、グループ２にのみ属する転送機能付きピア５０2、グループ１、２の何れにも属する転送機能付きピア５０12、何れのグループにも属さない転送機能付きピア５０n、これらの各転送機能付きピアの背後に存在するエンドピア（図９では図示省略）で構成されていたとする。この場合、スパニングツリーは、図９（Ｂ）に示すようなループのない木構造の経路となる。
【００７５】
次のステップ２０８では、エンドピアからのメッセージ送信要求を受信したか否かを判断し、受信している場合にはステップ２１０へ移行し、受信していない場合には、ステップ２１２へ移行する。
【００７６】
ステップ２１０では、スパニングツリーの構成情報としての経路情報に基づいて、メッセージを転送する。例えば、図９（Ａ）に示すようなネットワークが構築されている場合において、エンドピアが例えばグループ１に属しており、グループ１向けの要求メッセージを転送機能付きピアに送信した場合について説明する。この場合、転送機能付きピアは、グループ１に属しているエンドピアに対してのメッセージ転送を担う転送機能付きピアを全て含み、この転送機能付きピア全てにメッセージが転送されるようなスパニングツリー、例えば図９（Ｃ）に示すようなスパニングツリーを経路情報に基づいて計算する。そして、転送機能付きピアは、計算されたスパニングツリーに基づいて、隣の転送機能付きピア全てにエンドピアからの要求メッセージを転送する。これにより、図９（Ｃ）に示すスパニングツリー上の転送機能付きピアにメッセージが転送され、グループ１のエンドピア全てにメッセージが転送される。なお、グループ２向けのメッセージ送信要求を転送機能付きピアに送信した場合は、図９（Ｄ）に示すようなスパニングツリーが計算される。
【００７７】
次のステップ２１２では、隣の転送機能付きピアからメッセージを受信したか否かを判断し、受信した場合にはステップ２１４へ移行し、受信していない場合には、ステップ２０８へ戻って上記と同様の処理を繰り返す。なお、定期的にステップ２００へ戻ってスパニングツリーを定期的に計算するようにしてもよい。
【００７８】
ステップ２１４では、計算したスパニングツリーに基づき、メッセージを転送する必要がある場合、すなわちスパニングツリー上における隣の転送機能付きピアのうちメッセージを転送していない転送機能付きピアが存在する場合には、その転送機能付きピアにメッセージを転送する。また、受信したメッセージが、自ピアがメッセージの転送を担うエンドピアと同一のグループ宛であった場合には、そのメッセージをエンドピアへ転送する。
【００７９】
このように、スパニングツリーを各転送機能付きピアが計算し、このスパニングツリー計算に従ってメッセージを転送することにより、同じグループ内のエンドピア間においてメッセージの送受信が可能となる。
【００８０】
上記のような転送機能付きピアによってメッセージを転送する構成は、主にＬＡＮ（Local Area Network）等の比較的小規模のネットワークでＰ２Ｐネットワークを構築する場合に適しているが、大規模のネットワークでＰ２Ｐネットワークを構成する場合には、ファイアウォールやゲートウェイ等を介して、異なるネットワークに接続されたピア間でメッセージの送受信が行われる。以下では、このような比較的大規模なネットワークでＰ２Ｐネットワークを構築する場合に適した形態について説明する。
【００８１】
図１０に示すＰ２Ｐネットワーク１１は、複数のネットワーク５２〜５８を含み、ネットワーク５２は、ルータ６０、６２を介してネットワーク５４と接続されると共に、ルータ６４を介してネットワーク５８と接続される。また、ネットワーク５６は、ルータ６６を介してネットワーク５８と接続される。
【００８２】
ネットワーク５２は、エンドピア５２Ａ、５２Ｂ、及び待ち合わせ機能付きピア５２Ｃを含んで構成され、ネットワーク５４はエンドピア５４Ａを含んで構成され、ネットワーク５６はエンドピア５６Ａを含んで構成され、ネットワーク５８は中継機能付きピア５８Ａを含んで構成されている。なお、待ち合わせ機能付きピアは、図示しない待ち合わせ機能サービス部をサービス実行部３４に備えた構成であり、中継機能付きピア５８Ａは、図示しない中継機能サービス部をサービス実行部３４に備えた構成である。
【００８３】
このように構成されたＰ２Ｐネットワーク１１において、エンドピアは、図７のフローチャートの示す処理とほぼ同様の処理を実行する。すなわち、Ｐ２Ｐネットワーク１１におけるエンドピアで実行される処理は、図７のフローチャートの説明において、転送機能付きピアを待ち合わせ機能付きピアに言い換えた処理を実行すると考えることができる。
【００８４】
また、中継機能付きピアは、基本的には所謂ゲートウェイとしての動作をするピアである。中継機能付きピアは、まず、例えば自ピアに記憶された設定情報に予め設定された他のピアに対して、又はマルチキャストやブロードキャストにより他のピアに対して、グループ情報やユーザ情報等の各種情報を送信するよう要求し、これらの情報を取得しておく。そして、他ピアからメッセージを受信した場合には、送信先として指定されたピアにメッセージを転送する。
【００８５】
次に、待ち合わせ機能付きピアで実行される処理について、図１１に示すフローチャートを参照して説明する。
【００８６】
まず、ステップ３００において、例えば自ピアに記憶された設定情報に予め設定された他の転送機能付きピアに対して、又はマルチキャストやブロードキャストによって、他のピアに対してグループ情報やユーザ情報等の各種情報を送信するよう要求する。
【００８７】
ステップ３０２では、他ピアから何らかの情報、例えばステップ３００で要求したグループやユーザ情報等の情報や、他ピアからの告知情報等を受信したか否かを判断し、受信した場合には、ステップ３０４へ移行し、受信していない場合には、ステップ３０６へ移行する。
【００８８】
ステップ３０４では、他ピアから受信した情報をＰ２Ｐ基盤管理データ記憶部１８に記憶させる。例えば受信した情報がグループ情報であればグループ情報１８ＢとしてＰ２Ｐ基盤管理データ記憶部１８に記憶させ、受信した情報がユーザ情報であればユーザ情報１８ＥとしてＰ２Ｐ基盤管理データ記憶部１８に記憶させる。
【００８９】
ステップ３０６では、エンドピアから何らかのサービス提供又は情報提供を要求する要求メッセージを受信したか否かを判断し、受信している場合には、ステップ３０８へ移行し、受信していない場合には、ステップ３０２へ戻って上記と同様の処理を繰り返す。
【００９０】
ステップ３０８では、要求メッセージに対応した情報が自ピアのＰ２Ｐ基盤管理データ記憶部１８に記憶されているか否かを判断し、記憶されている場合には、ステップ３１０へ移行し、記憶されていない場合には、ステップ３１２へ移行する。
【００９１】
ステップ３１０では、要求メッセージに対応した情報をＰ２Ｐ基盤管理データ記憶部１８から読み出して要求元のピアに送信する。
【００９２】
一方、ステップ３１２では、要求メッセージを隣接のピアに転送する。これにより、要求メッセージが他ピアに伝搬される。これにより、要求メッセージに対応した処理を実行可能なピアから応答メッセージが送信される。
【００９３】
ステップ３１４では、要求メッセージに対応した処理を実行可能なピアから送信された応答メッセージを受信し、これを要求元のエンドピアに送信する。
【００９４】
ここで、ネットワーク５４のピア５４Ａが告知情報の探索要求を行う場合について説明する。この場合、ピア５４Ａは、待ち合わせ機能付きピアを検索し、検索された待ち合わせ機能付きピア５２Ｃに告知情報の探索要求メッセージを送信する。これにより待ち合わせ機能付きピア５２Ｃは、自ピアに他ピアの告知情報が蓄積されていれば、これをピア５４Ａに送信し、蓄積されていない場合には、例えば隣のピア５２Ａ、５２Ｂ等に告知情報を送信するよう要求する。このとき、ピア５２Ａは、自ピアの告知情報と、自ピアに記憶されている他ピアの告知情報、例えばピア５６Ａの告知情報がすでに記憶されている場合には、その告知情報とを待ち合わせ機能付きピア５２Ｃに送信する。ピア５２Ｃについても同様である。待ち合わせ機能付きピア５４Ｃは、他ピアから送信された告知情報を蓄積すると共に、ピア５４Ａに送信する。
【００９５】
以上のように、待ち合わせ機能付きピアは、他ピアから送信された告知情報等の各種情報を自ピアに蓄積しておき、エンドピアからの要求に対応した情報が自ピアに記憶されている場合には、その情報をエンドピアに送信する。従って、Ｐ２Ｐネットワーク１１のように大規模なネットワークにおけるメッセージの送受信の効率を向上させることができる。
【００９６】
次に、アプリケーション実行の具体例として、アプリケーションがファイル共有サービスの場合におけるアプリケーション実行部２０の処理について説明する。
【００９７】
この場合、アプリケーション実行部２０は、ファイル名等の所望のファイルを特定するための情報を少なくとも含んだファイル探索要求をメッセージ制御部２４のメッセージディスパッチ部３６に通知する。メッセージディスパッチ部３６では、このファイルを所有するピアを探索するようピア探索サービス部３８に対して要求する。これにより、ピア探索サービス部３８によって所望のファイルを所有するピアが探索され、アプリケーション実行部２０に通知される。そして、アプリケーション実行部２０では、探索されたピアに対してファイルを送信するよう要求し、取得する。なお、所望のファイルを所有しているピアの情報を既に取得しており、自ピアに記憶されていた場合には、ピア探索を実行せずに、直接そのピアにファイル送信要求を送信してファイルを取得すればよい。
【００９８】
このように、アプリケーション実行部２０は、メッセージ制御部２４を介して他ピアとメッセージの送受信を行い、サービスを提供する。
【００９９】
なお、Ｐ２Ｐネットワークの構築について上記は一例であり、例えば上記特許文献１に記載されたプロトコルや、ＪＸＴＡプロトコルのＰＤＰ（Peer Discovery Protocol：ピア発見プロトコル）、ＰＲＰ（Peer Resolver Protocol：ピア解決プロトコル）、ＰＩＰ（Peer Information Protocol：ピア情報プロトコル）、ＰＭＰ（Peer Membership Protocol：ピアメンバーシッププロトコル）、ＰＢＰ（Peer Binding Protocol：ピアバインディングプロトコル）、ＰＥＰ（Peer Endpoint Protocol：ピアエンドポイントプロトコル）等の公知のプロトコルを用いてＰ２Ｐネットワークを構築してもよい。
【０１００】
ところで、本実施の形態では、上述のようにＰ２Ｐネットワークに参加している全ピアと情報の共有を行う他に、特定のピアに対してファイルまたはフォルダの即時共有する機能（以下、ローカル共有サービスという）を有する。ローカル共有サービスは、アプリケーション実行部２０によって行われる。
【０１０１】
ここで、ローカル共有サービスを行うアプリケーション実行部２０の構成について説明する。図１２は、ローカル共有サービスを行うアプリケーション実行部２０及びアプリケーションメモリ２２の構成を示すブロック図である。なお、アプリケーションメモリ２２は本発明の記憶手段に対応する。
【０１０２】
アプリケーション実行部２０は、ローカル共有サービスを行うためのローカル共有サービス部２０Ａを含んで構成されており、ローカル共有サービス部２０Ａによって、予め設定された特定のピア（任意のピア）に対してファイルまたはフォルダの即時共有を行う。
【０１０３】
アプリケーションメモリ２２には、予め設定されたローカル共有ファイルまたはローカル共有フォルダと、ローカル共有ファイルまたはローカル共有フォルダに対応して予め設定されたローカル共有サービスを行うための情報とを含むローカル共有情報２２Ａが記憶される。なお、ローカル共有情報２２Ａとしては、例えば、特定のピアに関するピア情報（例えば、ＩＰアドレス、ＵＲＩ、ピアＩＤ等）や、特定のピアまでの経路情報等を含み、ピア情報や経路情報はＰ２Ｐ基盤管理データ管理部２６から取得する。
【０１０４】
ここで、ローカル共有サービスを行うための設定方法について説明する。なお、ローカル共有サービスの設定は、ユーザインタフェース（ＵＩ:User Interface）を用いて明示的に行う。図１３（Ａ）は、ローカル共有サービスを行うためのＵＩ画面８０の一例を示す図である。なお、以下ではファイルの共有設定を行うＵＩ画面８０を一例として説明するが、フォルダ毎に共有設定を同様に行うようにしてもよい。
【０１０５】
ローカル共有サービスを行うためのＵＩ画面８０は、図１３（Ａ）に示すように、ローカル共有サービスを行う共有フォルダＫ（図１３（Ａ）では共有フォルダ１）を表示すると共に、共有フォルダＫ内の共有ファイルＦ（図１３（Ａ）では、ファイル１〜５を表示）を表示する。なお、ユーザによって選択されたファイルＦ（図１３（Ａ）ではファイル１）の画像を反転表示等することで選択されたファイルの表示を行う。
【０１０６】
また、選択されたファイルの共有設定情報Ｓ（図１３（Ａ）ではピアリストＳＡと共有設定ＳＢ）を表示する。ピアリストＳＡは、Ｐ２Ｐ基盤管理データ記憶部１８に記憶された、ピア探索サービス部３８によって探索されたピア情報に基づいて、Ｐ２Ｐネットワークに参加しているピアのリストを取得して表示し、共有設定ＳＢはユーザによって設定された共有するか否かの設定を表示する。
【０１０７】
ローカル共有サービスの設定は、例えば、共有フォルダＫに共有対象のファイルをコピーし、ピアリストＳＡの中から共有するピアに対応する共有設定を行う。例えば、共有設定ＳＢは、ローカル共有設定するピアをピアリストＳＡからマウスやキーボード等を用いて選択した後に、共有設定ＳＢをＵＩ画面８０上で書き換える等の操作を行う。なお、共有設定ＳＢのＵＩ画面８０上の書き換えは、例えば、マウスをクリックする毎に共有設定の有り無しが交互に変化するようにしてもよい。
【０１０８】
また、共有設定されたファイルは、Ｐ２Ｐ基盤管理データ記憶部１８に記憶された経路情報１８Ａを取得し、図１３（Ｂ）に示すように、共有設定がなされたファイルに対応してピア情報１８Ｄ及び経路情報１８Ｄ等を記憶する。これによって、ピア情報と経路情報を用いて特定のピアに対してファイルの共有を行うことが可能となる。
【０１０９】
上述のようにローカル共有サービスを行うためのＵＩ画面８０で設定が終了してファイルを共有する場合には、ＵＩ画面８０上の送信ボタン７０を選択する操作等を行うことで、共有設定されたファイルを設定先のピアに転送して設定先のピアに共有するファイルをプッシュ保存する。転送時には、共有設定されたファイルに対応して記憶されたピア情報や経路情報に基づいて設定先のピアまでファイルが転送される。
【０１１０】
なお、Ｐ２Ｐネットワークの設定等によって、ダウンロードモード（例えば、ファイルやフォルダのインデックスやリンク情報等の一部のデータのみを共有し、当該一部のデータのダウンロードが指定された場合にファイルやフォルダの全体を送信するモード）やコピーモード（例えば、ファイルやフォルダ全体を送信するモード）等の設定がある場合には、Ｐ２Ｐネットワークの設定に従ってファイル転送を行うようにしてもよいし、ローカル共有サービスを行うＵＩ画面８０上で当該モードの設定を行うようにしてもよい。
【０１１１】
続いて、上述のローカル共有サービスを行う際のピアで行われる処理について説明する。
【０１１２】
図１４は、ローカル共有サービス時にピアで行われる処理の流れの一例を示すフローチャートである。なお、以下の処理は、ローカル共有サービスを実行する指示がなされた場合に開始されるものとする。
【０１１３】
ローカル共有サービスを行うピアでは、ステップ４００において、ピア情報及び経路情報を取得する。これは、アプリケーション実行部２０に含まれるローカル共有サービス部２０Ａによって実行される。すなわち、Ｐ２Ｐ基盤管理データ記憶部２２に記憶されたピア情報１８Ｄ及び経路情報１８Ａがアプリケーション実行部２０によって取得される。
【０１１４】
そして、ステップ４０２において、図１３（Ａ）に示すようなＵＩ画面８０を表示して、ステップ４０４へ移行して、共有フォルダが作成または選択されたか否か判定する。該判定は、図１３（Ａ）に示すＵＩ画面８０を用いてローカル共有フォルダが作成された否か、或いは図１３（Ａ）に示すＵＩ画面８０上に表示されている共有フォルダが選択されたか否かをアプリケーション実行部２０が判定することによってなされ、該判定が肯定された場合には、ステップ４０６へ移行し、否定された場合には、ステップ４０８へ移行する。
【０１１５】
ステップ４０６では、作成または選択されたフォルダをＵＩ画面８０上で反転表示すると共に、フォルダ内のファイルを表示する。例えば、１３（Ａ）では、共有フォルダ１が反転表示され、共有フォルダ１内のファイル１〜５が表示されている。
【０１１６】
ステップ４０８では、共有フォルダにファイルがコピー又は共有ファイルが選択されたか否か判定する。該判定は、図１３（Ａ）に示すＵＩ画面８０を用いて共有フォルダにファイルがコピーされたか否か、或いは図１３（Ａ）に示すＵＩ画面８０上に表示されているファイルが選択されたか否かをアプリケーション実行部２０が判定することによってなされ、該判定が肯定された場合には、ステップ４１０へ移行し、否定された場合には、ステップ４１８へ移行する。
【０１１７】
ステップ４１０では、コピー又は選択されたファイルをＵＩ画面８０上で反転表示して、ステップ４１２へ移行する。なお、図１３（Ａ）では、ファイル１が反転表示された例を示す。
【０１１８】
ステップ４１２では、ピアリストＳＡ中のピアが選択されたか否かアプリケーション実行部２０が判定し、該判定が否定された場合、例えば、ピアリストＳＡ中のピアの選択が所定時間行われなかった時には、ステップ４１８へ移行し、肯定された場合には、ステップ４１４へ移行する。
【０１１９】
ステップ４１４では、共有設定が変更された否か判定する。該判定は、図１３（Ａ）に示すＵＩ画面８０を用いて共有設定ＳＢが変更（共有有りから無しに変更、または無しから有りに変更）されたか否かをアプリケーション実行部２０が判定することによってなされ、該判定が否定された場合、例えば、共有設定ＳＢの変更が所定時間行われなかった時には、ステップ４１２に戻って上述の処理が行われ、ステップ４１４の判定が肯定された場合には、ステップ４１６へ移行する。
【０１２０】
ステップ４１６では、変更された共有設定をＵＩ画面８０上に表示すると共に、変更に応じてファイル又はフォルダに対応してピア情報及び経路情報を記憶する。すなわち、ＵＩ画面８０を用いて変更された内容をＵＩ画面８０に表示するようにアプリケーション実行部２０によってＵＩ画面８０が制御される。また、共有設定の変更に応じて、ステップ４００で取得したピア情報及び経路情報の中から、共有設定されたピアに対応するピア情報及び経路情報が、ファイルまたはフォルダに対応してアプリケーションメモリ２２に記憶される。
【０１２１】
ステップ４１８では、送信フォルダまたはファイルが選択されたか否か判定する。該判定が、図１３（Ａ）に示すＵＩ画面８０を用いてローカル共有するフォルダまたはファイルが選択されたか否かをアプリケーション実行部２０が判定することによってなされ、該判定が否定された場合、例えば所定時間操作が行われない場合には、上述のステップ４０４に戻って上述の処理が繰り返され、ステップ４１８の判定が肯定された場合には、ステップ４２０へ移行する。
【０１２２】
ステップ４２０では、送信指示が行われたか否か判定する。該判定は、図１３（Ａ）に示すＵＩ画面８０上の送信ボタン７０を操作する指示がなされたか否かをアプリケーション実行部２０が判定することによってなされ、該判定が否定された場合には、上述のステップ４０４に戻って上述の処理が繰り返され、ステップ４２０の判定が肯定された場合には、ステップ４２２へ移行する。
【０１２３】
ステップ４２２では、設定に対応するピアに対して、ステップ４１６でアプリケーションメモリ２２に記憶したピア情報及び経路情報を用いて、送信先のファイルまたはフォルダを確認して送信する。すなわち、アプリケーション実行部２０は、ステップ４２２でアプリケーションメモリ２２に記憶したピア情報及び経路情報を用いて、ローカル共有設定されたファイルまたはフォルダがローカル共有設定されたピアにあるか否かを確認して送信する。例えば、ローカル共有設定されたピアに同一ファイル名や同一フォルダ名等（或いはバーションの違い）があるか確認した後に、共有対象のファイルまたはフォルダが設定されたピアに送信される。なお、送信先のファイルまたはフォルダの確認を行った結果、同一ファイルまたはフォルダが存在するときなどは、、ＵＩ画面８０にその旨を表示して、必要に応じてユーザがフォルダ名やファイル名等を変更する等を行う。
【０１２４】
そして、ステップ４２４では、ローカル共有履歴としてファイル転送時に、ファイルを保存（転送）したピアのピア情報（ＩＰアドレス、ピアＩＤ、経路情報等）をアプリケーションメモリ２２に保存する。これによって、ローカル共有履歴を読み出して使用することで、自ピアにローカル共有フォルダやファイルがない場合でも、共有先のピアから対応する共有フォルダやファイルを取得することができる。また、ローカル共有履歴をＵＳＢキーなどのポータブルデバイスやその他の記録媒体に取り出して持ち運ぶことで、どこにあるピアからでも、ローカル共有情報を用いて保存したデータを取得することができる。
【０１２５】
続いて、ステップ４２６では、ローカル共有サービスを終了するか否か判定する。該判定は、例えば、図１３（Ａ）に示すＵＩ画面８０を閉じる操作が行われたか否か等をアプリケーション実行部２０が判定することによってなされ、該判定が否定された場合には、ステップ４０４に戻って上述の処理が繰り返され、判定が肯定されたところで、ピアで行われる一連のローカル共有サービスの処理を終了する。
【０１２６】
このように、ローカル共有サービスを行うことで、例えば、ユーザが所有するコンピュータ（自ピア）ではなく、Ｐ２Ｐネットワークに参加している他のピアで作成したデータを自ピアに対してプッシュ保存するようなことが可能となる。この時、ローカル共有履歴情報をポータブルデバイスやその他の記録媒体等に保存し持ち運ぶことで、上述したように、他のピアから自装置に保存したデータを取り出すことが可能となる。
【０１２７】
また、ローカル共有サービスの設定や実行を、図１３（Ａ）に示すＵＩ画面８０で行うことができるので、明示的かつ容易にに行うことができる。
【０１２８】
なお、ステップ４００は本発明の取得手段及び取得ステップに対応し、ステップ４０４〜４２０は本発明の指示手段及び指示ステップに対応し、ステップ４０６及びステップ４２４は本発明の記憶ステップに対応し、ステップ４２２は本発明の送信手段及び送信ステップに対応し、ステップ４０２は本発明の表示手段及び表示ステップに対応する。
【図面の簡単な説明】
【０１２９】
【図１】Ｐ２Ｐネットワークのネットワーク構成図である。
【図２】ピュアＰ２Ｐのネットワーク構成図である。
【図３】ハイブリッドＰ２Ｐのネットワーク構成図である。
【図４】Ｐ２Ｐネットワークのグループについて説明するための概念図である。
【図５】ピアの基本的構成のブロック図である。
【図６】メッセージ制御部のブロック図である。
【図７】エンドピアで実行される処理のフローチャートである。
【図８】転送機能付きピアで実行される処理のフローチャートである。
【図９】スパニングツリーのイメージ図である。
【図１０】Ｐ２Ｐネットワークの他の形態のネットワーク構成図である。
【図１１】待ち合わせ機能付きピアで実行される処理のフローチャートである。
【図１２】ローカル共有サービスを行う本発明の実施の形態に係わるアプリケーション実行部及びアプリケーションメモリの構成を示すブロック図である。
【図１３】（Ａ）はローカル共有サービスを行うためのＵＩ画面の一例を示す図であり、（Ｂ）は共有ファイルと対応して記憶するピア情報や経路情報の一例を示すイメージ図である。
【図１４】ローカル共有サービス時に本発明の実施の形態に係わるピアで行われる処理の流れの一例を示すフローチャートである。
【符号の説明】
【０１３０】
１０、１１    Ｐ２Ｐネットワーク
１２    ピア
１８    Ｐ２Ｐ基盤管理データ記憶部
２０    アプリケーション実行部
２０Ａ    ローカル共有サービス部
２２    アプリケーションメモリ
２２Ａ    ローカル共有情報
２６    Ｐ２Ｐ基盤管理データ記憶部
７０    送信ボタン
【図１】
2006184954.tif 000003
【図２】
2006184954.tif 000004
【図３】
2006184954.tif 000005
【図４】
2006184954.tif 000006
【図５】
2006184954.tif 000007
【図６】
2006184954.tif 000008
【図７】
2006184954.tif 000009
【図８】
2006184954.tif 000010
【図９】
2006184954.tif 000011
【図１０】
2006184954.tif 000012
【図１１】
2006184954.tif 000013
【図１２】
2006184954.tif 000014
【図１３】
2006184954.tif 000015
【図１４】
2006184954.tif 000016